(57)【特許請求の範囲】
【請求項１】
所定の印刷が施された連続用紙から単片帳票に分離し、順次搬送手段で搬送させて所定数の単片帳票を綴じた綴じ帳票と所定数の綴じない単片帳票の被綴じ帳票とを一組の製本体として製本してスタッカに順次排出する製本装置であって、
前記綴じ帳票の対象となる所定数の単片帳票のうち、所定の単片帳票に接着剤を塗布する接着剤塗布手段と、
前記接着剤塗布手段で接着剤が塗布された所定の単片帳票を含む前記綴じ帳票の対象となる所定数の単片帳票を平積み重ね合わせて綴じる領域の第１バッファと、
前記第１バッファで作製された綴じ帳票に綴じない所定数の被綴じ帳票を重ね合わせる領域の第２バッファと、
前記第１バッファで前記綴じ帳票を作製する際には閉状態とされ、当該綴じ帳票が作製されたときに開状態とされて当該綴じ帳票を前記第２バッファに搬送させると共に、当該綴じ帳票と一組とされる所定数の被綴じ帳票を当該第２バッファに搬送させる開閉自在の第１ゲートと、
前記第２バッファで前記綴じ帳票に所定数の被綴じ帳票が重ね合われる際には閉状態とされ、当該綴じ帳票と被綴じ帳票とが一組の製本体とされたときに開状態とされて前記スタッカに排出させる開閉自在の第２ゲートと、
前記搬送手段による単片帳票の搬送及び前記第１ゲート及び前記第２ゲートの開閉を制御する制御手段と、
を有することを特徴とする製本装置。
【発明の詳細な説明】
【技術分野】
【０００１】
本発明は、所定数の単片帳票を綴じた綴じ帳票と所定数の綴じない単片帳票の非綴じ帳票とを一組の製本体として製本する製本装置に関する。
【背景技術】
【０００２】
近年、例えば税金の納付書のように、糊綴じした宛名や明細等と、綴じない所定数の発送単位で名寄せされた納付書兼納付済通知書等とを一組とさせるものがあり、この一組とされた帳票は後に封緘体に封入封緘されて個々に発送されるものである。このような帳票を一組として製本するに際して、帳票の紙質に拘わらず、高速かつ確実に処理することが望まれる。
【０００３】
従来、所定数の単片帳票を一組として製本し、また、製本したものを封緘体に封入封緘する技術が以下の特許文献で提案されている。特許文献１には、第１及び第２の供給ラインよりそれぞれ供給される異なった二つの帳票を形成するための第１及び第２の帳票形成用連続紙から切離される帳票を、照合コードの相対応する帳票毎に取り合わせて封筒体ブランク内に合封することが提案されている。
【０００４】
また、特許文献２には、糊付により冊子状に構成される第１の紙群と糊付されない第２の紙群とが混在する製本に関して、１セット分の紙が製本部に導入される毎に螺旋体を１回転させる螺旋体回転機構を備え、紙を螺旋体の下側を通って製本部に導入させて積んでいき、１セットが導入された時点で螺旋体を１回転させて片側を一段押し上げて分離し、続いて次の１セット分を下側に導入させるというもので、螺旋体の最上部の１セットを排出することが提案されている。
【０００５】
【特許文献１】特開２００１−１８０１５７号公報
【特許文献２】特開２００７−１２５７４２号公報
【発明の開示】
【発明が解決しようとする課題】
【０００６】
しかしながら、上記特許文献１は、封筒体ブランク内に合封される所定数の帳票を取り合わせ位置で一組として取り合わせている間は次の一組の帳票と分離させるために次の帳票の搬送を停止しなければならず、高速化、効率化を図ることができないという問題がある。一方、上記特許文献２は、１セット分の紙の導入から次の１セット分の紙の導入は螺旋体の１回転分の時間の停止だけとなって効率化が図られているが、導入された１セット分の紙を螺旋体で片側を押し上げる構成であることから、紙のサイズが大の場合や、柔軟（軽量）な紙の場合には垂れ下がりを生じて綴じ部分で位置ずれし易いという問題があり、適用させることができない。
【０００７】
そこで、本発明は上記課題に鑑みなされたもので、所定数の単片帳票を綴じた綴じ帳票と所定数の綴じない単片帳票の非綴じ帳票とを一組の製本体として、帳票の紙質等に拘わらず、高速かつ確実に製本する製本装置を提供することを目的とする。
【課題を解決するための手段】
【０００８】
上記課題を解決するために、請求項１の発明では、所定の印刷が施された連続用紙から単片帳票に分離し、順次搬送手段で搬送させて所定数の単片帳票を綴じた綴じ帳票と所定数の綴じない単片帳票の被綴じ帳票とを一組の製本体として製本してスタッカに順次排出する製本装置であって、前記綴じ帳票の対象となる所定数の単片帳票のうち、所定の単片帳票に接着剤を塗布する接着剤塗布手段と、前記接着剤塗布手段で接着剤が塗布された所定の単片帳票を含む前記綴じ帳票の対象となる所定数の単片帳票を平積み重ね合わせて綴じる領域の第１バッファと、前記第１バッファで作製された綴じ帳票に綴じない所定数の被綴じ帳票を重ね合わせる領域の第２バッファと、前記第１バッファで前記綴じ帳票を作製する際には閉状態とされ、当該綴じ帳票が作製されたときに開状態とされて当該綴じ帳票を前記第２バッファに搬送させると共に、当該綴じ帳票と一組とされる所定数の被綴じ帳票を当該第２バッファに搬送させる開閉自在の第１ゲートと、前記第２バッファで前記綴じ帳票に所定数の被綴じ帳票が重ね合われる際には閉状態とされ、当該綴じ帳票と被綴じ帳票とが一組の製本体とされたときに開状態とされて前記スタッカに排出させる開閉自在の第２ゲートと、前記搬送手段による単片帳票の搬送及び前記第１ゲート及び前記第２ゲートの開閉を制御する制御手段と、を有する構成とする。
【発明の効果】
【０００９】
本発明によれば、第１ゲートを閉状態とさせて第１バッファにおいて接着剤が塗布された所定の単片帳票を含む綴じ帳票の対象となる所定数の単片帳票を平積み重ね合わせて綴じ、第１ゲートを開状態とさせて当該第１バッファで作製された当該綴じ帳票を第２バッファに搬送させ、当該第１ゲートを開状態のままで所定数の被綴じ帳票を第２バッファに搬送させて重ね合わさせた後に第１ゲートを閉状態とさせて第１バッファにおいて次の綴じ帳票を作製しているときに第２ゲートを開状態とさせて一組の製本体をスタッカに排出させる構成とすることにより、綴じ帳票を作製するに際して第１バッファで平積み重ね合わせすることから帳票の紙質等に拘わらずに位置ずれなく製本体を作製することができると共に、綴じ帳票の対象の所定数の単片帳票及び所定数の被綴じ帳票を途切れなく搬送させることから、綴じ帳票と所定数の非綴じ帳票とを一組の製本体として高速かつ確実に製本することができるものである。
【発明を実施するための最良の形態】
【００１０】
以下、本発明の最良の実施形態を図により説明する。
図１に、本発明に係る製本装置の構成図を示す。図１（Ａ）は、本発明に係る製本装置の位置付けを示した製本装置の概念図、図1（Ｂ）は製本装置の概念構成図である。図1（Ａ）において、製本システム１１は、個別毎の所定の印刷がなされた連続用紙を供給する給紙部１２から、搬送反転部１３を経て分離部（ディチャッタ）１４で単片帳票に分離される（一例を図２に示す）。
【００１１】
分離部１４で分離された単片帳票（５１，・・・）は、本発明の製本装置である製本部１５に順次送られ、当該製本部１５により所定数の単片帳票を綴じた綴じ帳票と所定数の綴じない単片帳票の被綴じ帳票とを一組の製本体とされてスタッカ１６に製本体毎に排出されるものである。当該スタッカ１６は、例えば封緘封入システムと連結される。
【００１２】
製本部１５は、第１搬送手段２１、第２搬送手段２２及び接着剤塗布手段２４を主要部分として構成される。第１搬送手段２１は、例えば２列の搬送ベルトが所定数のローラ間に水平位置に懸架されて一方側の搬送ベルトにおけるローラ２１Ａ部分が分離部１４からの単片帳票導入部の一部となる。当該第１搬送手段２１の所定部分には接着剤塗布手段の接着剤塗布部（塗布ノズル）２４が配置され、第２搬送手段２２の２列の搬送ベルトで挾持されて搬送される対応の単片帳票に制御的に接着剤を塗布する。
【００１３】
上記第２搬送手段２２は、例えば上記第１搬送手段２１に対応する２列の搬送ベルトが対応の駆動ローラ等に懸架されて、上側水平方向から垂直方向、さらに下側水平方向へと単片帳票を搬送するもので、当該上側水平方向の搬送ベルトと第１搬送手段２１の下側水平方向の搬送ベルトとを当接させた形態で配置されたものである。上記第１搬送手段２１の搬送ベルトにおけるローラ２１Ａに対応するローラ２２Ａ部分が分離部１４からの単片帳票導入部となる。また、下側水平方向の搬送ベルトを支持又は駆動するローラ２２Ｂ部分とこれに当接するローラ２５とがスタッカ１６へのスタッカ分となる。
【００１４】
第２搬送手段２２の垂直方向の搬送ベルトと対向した部分には搬送ガイド部２３Ａが設けられ、また、垂直方向から下側水平方向への搬送ベルトと対向した部分には湾曲状の搬送ガイド部２３Ｂが設けられ、さらに、下側水平方向の搬送ベルト（後述の第１バッファの部分）と対向した部分には搬送ガイド部２３Ｃが設けられる。
【００１５】
上記搬送ガイド部２３Ｃと上記ローラ２２Ｂとの間に上下動により開閉自在の第１ゲート３１が配置され、当該第１ゲート３１の直前の当該搬送ガイド部２３Ｃが第１バッファ３２となる。当該第１バッファ３２は、接着剤塗布部２４で接着剤が塗布された所定の単片帳票を含む綴じ帳票（後述する）の対象となる所定数の単片帳票を平積み重ね合わせて綴じる領域である。
【００１６】
上記第１ゲート３１は、第１バッファ３２で綴じ帳票を作製する際には閉状態とされ、当該綴じ帳票が作製されたときに開状態とされて当該綴じ帳票を後述の第２バッファ３４に搬送させると共に、当該綴じ帳票と一組とされる所定数の被綴じ帳票（後述する）を当該第２バッファ３４に搬送させるためのものである。
【００１７】
一方、上記ローラ２２Ｂ及びローラ２５のスタッカ分であってスタッカ１６の上方には、排出ガイド部２６Ａ，２６Ｂと共に、第２ゲート３３が設けられ、当該第２ゲート３３上が第２バッファ３４となる。当該第２バッファ３４は、第１バッファ３２で作製された綴じ帳票に綴じない所定数の被綴じ帳票を重ね合わせる領域である。
【００１８】
また、第２ゲート３３は、水平移動により開閉自在であり、第２バッファ３４で綴じ帳票に所定数の被綴じ帳票が重ね合われる際には閉状態とされ、当該綴じ帳票と被綴じ帳票とが一組の製本体とされたときに開状態とされてスタッカ１６に排出させる役割をなす。
【００１９】
すなわち、上記第１搬送手段２１及び第２搬送手段２２の各搬送ベルトにおけるローラ２１Ａ，２２Ａ部分から導入された単片帳票は、第１搬送手段２１における下側水平方向の搬送ベルトと第２搬送手段２２における上側水平方向の搬送ベルトとにより挾持されて上側水平方向で搬送され、第２搬送手段２２における垂直方向の搬送ベルト及び搬送ガイド２３Ａで垂直方向に搬送され、そして、搬送ガイド２３Ｂを経て第２搬送手段２２における下側水平方向の搬送ベルト及び搬送ガイド２３Ａで下側水平方向に搬送されるものである。
【００２０】
なお、上記第１及び第２搬送手段２１，２２による搬送駆動制御、接着剤塗布部２４による接着剤塗布の制御、及び第１及び第２ゲート３１，３３の駆動制御を行う制御手段は図示を省略してある。また、これら制御に伴うセンサ類の図示も省略してある。
【００２１】
ここで、図２に、本発明における製本対象の一例である帳票の説明図を示す。図２（Ａ）においては、例えば税金などの納付書兼納付済通知書等を製本体として作製する場合を示したもので、連続用紙４１には、その両側に搬送（例えば上述の給紙部１２からの搬送）のための搬送孔が形成されたマージナル部４２Ａ，４２Ｂがミシン線で切取自在に形成され、また、長手方向（搬送方向）の中央に分離のためのミシン線と、幅方向に単片帳票のサイズとさせるミシン線とが形成されたものである。
【００２２】
上記連続用紙４１には、各単片帳票となる領域に個別毎（発送先毎）の所定の印刷が施される。例えば、宛名Ａ５１Ａ−１、明細Ａ５１Ｂ−１、説明５１Ａ−２、全期５１Ｂ−２、１期５１Ａ−３、２期５１Ｂ−３、３期５１Ａ−４及び４期５１Ｂ−４が一組の製本体の対象となる。宛名Ｂ等においても同様である。
【００２３】
一組の製本体の対象となる各単片帳票は、図２（Ｂ）に示すように、宛名Ａ５１Ａ−１、明細Ａ５１Ｂ−１、説明５１Ａ−２及び全期５１Ｂ−２の単片帳票が接着剤６１により綴じられて綴じ帳票５１Ａとなる。また、図２（Ｃ）に示すように、その他の１期５１Ａ−３、２期５１Ｂ−３、３期５１Ａ−４及び４期５１Ｂ−４の単片帳票が綴じないセットとしての被綴じ帳票５１Ｂとなる。そして、図２（Ｂ）に示す綴じ帳票５１Ａと図２（Ｃ）に示す被綴じ帳票５１Ｂとが一組の製本体となるものである。
【００２４】
そこで、図３及び図４に、本発明の製本装置における製本処理の説明図を示す。ここでは、図２の例で、連続用紙４１から分離部１４で分離された各単片帳票が、宛名Ａ５１Ａ−１、明細Ａ５１Ｂ−１、説明５１Ａ−２、全期５１Ｂ−２、１期５１Ａ−３、２期５１Ｂ−３、３期５１Ａ−４及び４期５１Ｂ−４の順番で搬送させる場合として説明する。
【００２５】
図３（Ａ）において、宛名５１Ａ−１の単片帳票から明細５１Ｂ−１、説明５１Ａ−２の単片帳票に接着剤塗布部２４で接着剤６１が塗布されて順次第１バッファ３２に搬送され、その後に全期５１Ｂ−２の単片帳票には接着剤が塗布されずに当該第１バッファ３２に搬送される。この場合、第１ゲート２１は下方位置で閉状態とされており、当該第１バッファ３２では、上記４枚の単片帳票が平積み重ね合わせされて接着剤６１により接着（自重により接着）されることで綴じられ、綴じ帳票５１Ａが作製されることとなる。
【００２６】
第１のバッファ３２で綴じ帳票５１Ａが作製された時点、すなわち、４枚目の全期５１Ｂ−２が当該第１バッファ３２に搬送された時点で、図３（Ｂ）に示すように、第１ゲート２１を上昇させて開状態とさせることにより、第１バッファ３２で作製された綴じ帳票５１Ａが第２バッファ３４に搬送される。このときの第２ゲート３３は図のように閉状態としている。
【００２７】
続いて、第１ゲート２１を開状態のままとし、第２バッファ３４の綴じ帳票５１Ａ上に、順次１期５１Ａ−３、２期５１Ｂ−３、３期５１Ａ−４及び４期５１Ｂ−４の綴じない単片帳票を搬送させて重ね合わさせる。これによって、第２バッファ３４上で図２（Ｂ）、（Ｃ）に示す綴じ帳票５１Ａと被綴じ帳票５１Ｂとが一組の製本体となる。
【００２８】
上記第２バッファ３４上に被綴じ帳票５１Ｂの最後の単片帳票（４期５１Ｂ−４）が搬送された時点で、図４（Ａ），（Ｂ）に示すように、第１ゲート２１を下降させて閉状態とさせ、次の製本体の作製対象の宛名Ｂ５２Ａ−１の単片帳票から第１バッファ３２上に順次搬送される。これと同時に、第２ゲート３３が開状態とされて排出ガイド部２６Ａ，２６Ｂでガイドされてスタッカ１６に排出するものである。当該次の製本体の作製については、図３（Ａ）、（Ｂ）及び図４（Ａ）、（Ｂ）の繰り返しとなるものである。
【００２９】
このように、綴じ帳票を作製するに際して第１バッファで平積み重ね合わせすることから帳票の紙質等に拘わらずに位置ずれなく製本体を作製することができると共に、綴じ帳票の対象の所定数の単片帳票及び所定数の被綴じ帳票を途切れなく搬送させることから、綴じ帳票と所定数の非綴じ帳票とを一組の製本体として高速かつ確実に製本することができるものである。
【産業上の利用可能性】
【００３０】
本発明の製本装置は、綴じ帳票と所定数の綴じない非綴じ帳票とを一組として製本するシステムに利用可能である。
【図面の簡単な説明】
【００３１】
【図１】本発明に係る製本装置の構成図である。
【図２】本発明における製本対象の一例である帳票の説明図である。
【図３】本発明の製本装置における製本処理の説明図（１）である。
【図４】本発明の製本装置における製本処理の説明図（２）である。
【符号の説明】
【００３２】
１１            製本システム
１２            給紙部
１３            搬送反転部
１４            分離部
１５            製本部
１６            スタッカ
２１            第１搬送手段
２２            第２搬送手段
３１            第１ゲート
３２            第１バッファ
３３            第２ゲート
３４            第２バッファ
４１            連続用紙
５１，５２      単片帳票
【図１】
0005052312.tif 000002
【図２】
0005052312.tif 000003
【図３】
0005052312.tif 000004
【図４】
0005052312.tif 000005